(57)【要約】【課題】嫌気性領域の発生を防止して好気性微生物による悪臭の少ない発酵生成物を産出し、その発酵生成物を良質の堆肥や飼料として利用することができるようにした生ごみ処理装置を提供する。【解決手段】生ごみに好気性微生物を加えて撹拌羽根２により撹拌し、発酵させることにより生ごみを分解する微生物分解式の生ごみ処理装置において、生ごみを収容して撹拌する槽１の内底部近くに攪拌される生ごみの底方に空気を供給する空気供給口１２を設けた。また、生ごみを撹拌する撹拌羽根２の先端に弾性材を取り付けてこの弾性材と槽１の底部内壁面とが近接状態とした。【選択図】　図１
2004017026.tif 000002
【特許請求の範囲】
【請求項１】
生ごみに好気性微生物を加えて撹拌羽根により撹拌し、発酵させることにより生ごみを分解する微生物分解式の生ごみ処理装置において、生ごみを収容して撹拌する槽内の底部に攪拌される生ごみの底方に空気を供給する空気供給口を設けたことを特徴とする生ごみ処理装置。
【請求項２】
空気供給口が、槽の上部に水平方向に設けた空気配管より分岐されて槽の内壁面に沿って槽底まで垂下させた複数の空気供給管の下端を開放させたものである請求項１に記載の生ごみ処理装置。
【請求項３】
生ごみを撹拌する撹拌羽根の先端に弾性材を取り付けてあり、この弾性材と槽の底部内壁面とを近接状態としてある請求項１又は２に記載の生ごみ処理装置。
【発明の詳細な説明】
【０００１】
【発明の属する技術分野】
本発明は、生ごみを処理する生ごみ処理装置に関し、特に、好気性微生物を利用して発酵させることにより生ごみを分解する微生物分解式の生ごみ処理装置に関するものである。
【０００２】
【従来の技術】
ごみ処理は各自治体において大きな負担となり社会的に大きな問題となってきている。そうした社会的要請に応えるべく家庭用あるいは事業所用の生ごみ処理装置の普及が推進されている。従来、生ごみ処理装置は減量することを主目的として考えられており、槽内の生ごみに微生物を担持させた添加剤を添加し、添加剤に棲息する微生物の力で生ごみを分解する微生物分解式のものと、生ごみの水分をとって乾燥、減容させ、腐敗を抑える乾燥式のものがある。このような生ごみ処理装置はいずれも生ごみの水分除去のために設けられた電気ヒーターなどで多くのエネルギーを消費するという問題があったが、乾燥式のものにくらべて微生物分解式のものの方がエネルギー消費量が少ないこともあって現在のところ主流になっている。
【０００３】
微生物分解式の生ごみ処理装置では好気性微生物を利用するものが多く、槽内の生ごみに微生物を担持させた添加剤を添加し攪拌するようにしている。好気性微生物を利用する場合には、酸素が充分に供給されないと好気性微生物の活動が低下し、代わって嫌気性微生物の活動が活発となって悪臭を発するという問題がある。従来の微生物分解式生ごみ処理装置は槽内におがくず、もみがら等を水分調整用に大量に投入して大雑把に撹拌するようにしており、撹拌が不充分なために生ごみが槽壁にこびり付いて嫌気性の領域が生ずることが避けられなかった。また、嫌気性の領域では腐敗が進んで悪臭が発生し、産出される発酵生成物も悪臭を発することとなって発酵生成物を利用する際の障害になるという問題があった。
【０００４】
【発明が解決しようとする課題】
本発明は上記の問題点を解決し、嫌気性領域の発生を防止して悪臭の少ない発酵生成物を産出し、その発酵生成物を良質の堆肥や飼料として利用することができるようにした生ごみ処理装置を提供するためになされたものである。
【０００５】
【課題を解決するための手段】
上記の問題を解決するためになされた本発明の生ごみ処理装置は、生ごみに好気性微生物を加えて撹拌羽根により撹拌し、発酵させることにより生ごみを分解する微生物分解式の生ごみ処理装置において、生ごみを収容して撹拌する槽内の底部に攪拌される生ごみの底方に空気を供給する空気供給口を設けたことを特徴とするものである。なお、この空気供給口としては、槽の上部に水平方向に設けた空気配管より分岐されて槽の内壁面に沿って槽底まで垂下させた複数の空気供給管の下端を開放させたものとすることができ、また、生ごみを撹拌する撹拌羽根の先端に弾性材を取り付けて、この弾性材と槽の底部内壁面とを近接状態としておくことが好ましい。
【０００６】
【発明の実施の形態】
次に、本発明の生ごみ処理装置の実施形態について、図を参照しながら具体的に説明する。
図１及び図２は全体の構成を示すものであって、槽１の中央部水平方向に撹拌羽根２、２の回転軸３が回転自在に設けてあり、上部には蓋４が着脱自在に設けてある。槽１の底部は円筒形の上半分を切り取った形状としてあり、回転軸３の中心軸はその円筒形の中心軸と一致させてある。撹拌羽根２、２はアーム５、５を介して回転軸３に螺旋状に取り付けてあり、各撹拌羽根２、２は順次槽底部の内壁面に沿って移動するものである。
【０００７】
個々の撹拌羽根２は、図３及び図４に示すように、アーム５の先端に位置調節自在に設けられた撹拌羽根基板６に弾性材からなる撹拌羽根板７を押さえ板８により挟んで取り付けた構成としてあり、弾性材からなる撹拌羽根板７の磨耗量など必要に応じて撹拌羽根板７の先端が槽底部の内壁面に対して適正な位置にあるよう調節できるものとしてある。なお、撹拌羽根板７の材質は耐熱性、耐油性、耐磨耗性に優れた合成ゴムや合成樹脂エラストマー等とするのが好ましく、また、撹拌羽根板７の寸法は撹拌羽根板７の先端と槽１の底部内壁面との間隔は０〜１ｍｍと近接させて実質的にこすりながら移動するようなものとするのが好ましい。さらに、押さえ板８はねじ９、９により撹拌羽根基板６に固定し、撹拌羽根板７が損耗した場合には容易に交換できるようにしてある。
【０００８】
槽１の上部には空気配管１０が水平方向に設けてあり、該空気配管１０には槽１の内壁面に沿って垂下させた複数の空気供給管１１、１１が接続してある。この空気供給管１１　、１１は撹拌羽根板７の通過する経路を避けて配置してあり、槽１の底部まで延長したうえ下端を開放して空気供給口１２、１２が設けてある。空気配管１０には図示しない空気源を接続して空気を供給するようにしてあり、回転軸３にはモータ１３を接続して撹拌羽　根２の撹拌羽根板７を回転させるようにしてある。
【０００９】
前記のように構成した生ごみ処理装置の槽１の下部に生ごみと好気性微生物を担持させた添加剤とを投入し、空気配管１０から空気を供給しながらモータ１３を運転する。空気配管１０から供給された空気は空気供給管１１、１１を通って空気供給口１２、１２から槽１の内底部に供給され、生ごみはその底部にこの空気を混入させながら好気性微生物を担持させた添加剤とともに螺旋状に取り付けられた撹拌羽根２、２により撹拌されて混合され、好気性微生物は槽１の内底部から供給される充分な空気により活発に活動し、生ごみは効率よく分解されることとなる。このとき、槽１の内壁面に生ごみがこびり付くことがあるが、こびり付いた生ごみは撹拌羽根板７、７が実質的に槽１の底部内壁面をこすりながら移動するので直ちに除去され、槽１内を完全な好気状態に保持することができる。
【００１０】
撹拌羽根２、２は螺旋状に配置され、回転軸３の回転に伴い各撹拌羽根２、２の撹拌羽根板７、７が槽１の底部内壁面を実質的にこすりながら移動するものであって、撹拌羽根２、２の軸方向の間隔を撹拌羽根板７の幅より狭くすれば槽１の底部内壁面は全て残りなく撹拌羽根板７、７によりこすられることになる。このようにすると、空気供給管１１、１１が撹拌羽根板７、７の移動を妨げることとなるが、空気供給管１１、１１を弾性材で構成する等して水平方向に移動自在なものとしておけば、空気供給管１１、１１は撹拌羽根板７、７の通過時に一時移動し、撹拌羽根板７、７の移動を妨げないようにすることができる。
【００１１】
なお、前記した実施の形態では、空気供給口１２、１２は槽１の上部の空気配管１０に接続した複数の空気供給管１１、１１の下端を開放して設けたので、空気供給管１１や空気供給口１２等を槽１の上部から保守、点検できる利点がある。また、撹拌羽根板７は撹拌羽根基板６に押さえ板８により挟んでねじ９、９により固定して取り付けてあるので撹拌羽根板７が磨耗した場合の交換が容易であり、これも槽１の上部から交換作業ができる利点がある。
【００１２】
【発明の効果】
以上説明した本発明によれば、槽の底部から空気を供給するようにしてあるので、生ごみに添加した好気性微生物に空気を充分に供給することができ、好気性微生物を活発に活動させて生ごみを効率よく分解させることができる利点がある。また、撹拌羽根板が実質的に槽下部の壁面をこすりながら移動するので槽の底部内壁面に生ごみがこびり付くことがなく、嫌気性領域が生ずることがないので悪臭が発生せず、悪臭を発しない発酵生成物を産出するので発酵生成物を有効に利用することができる利点がある。
したがって、従来の問題を全て解決した生ごみ処理装置を提供するものとして広く社会に貢献するものである。
【図面の簡単な説明】
【図１】本発明の実施の形態を示す縦断側面図である。
【図２】本発明の実施の形態を示す縦断正面図である。
【図３】撹拌羽根の詳細を示す正面図である。
【図４】撹拌羽根の詳細を示す側面図である。
【符号の説明】
１　　槽
２　　撹拌羽根
１１　　空気供給管
１２　　空気供給口
【図１】
2004017026.tif 000003
【図２】
2004017026.tif 000004
【図３】
2004017026.tif 000005
【図４】
2004017026.tif 000006